(57)【要約】      （修正有）【課題】安定的に接続できるＵＳＢコネクタプラグを提供する。【解決手段】ＵＳＢコネクタプラグは絶縁座体１、複数の端子２、基板３を含む。絶縁座体１は一端に複数の固定槽を備える。複数の端子２はそれぞれ固定部２３と、固定部２３から遠い一端に設けられた接触部２２を備え、複数の端子２の固定部２３が絶縁座体１の複数の固定槽下方にそれぞれ嵌設され、基板３の上側に複数の金属接点３１，３２が設けられ、かつ基板３の上側が絶縁座体１の下側に対応して連接される。ＵＳＢコネクタプラグは複数の固定槽と複数の端子２の固定部２３の嵌設により、しっかりとした連接と安定した伝送の効果を達することができる。【選択図】図７
0003191030.tif 000002
【実用新案登録請求の範囲】
【請求項１】
ＵＳＢコネクタプラグであって、絶縁座体と、基板と、複数の端子を含み、
前記絶縁座体が一端に複数の固定槽を備え、
前記基板が一端に複数の金属接点を備え、前記基板の上側が前記絶縁座体下側に連接され、
前記複数の端子が固定部と、前記固定部から遠い方の一端に設けられた接触部をそれぞれ備え、前記複数の固定部が前記複数の固定槽内にそれぞれ設けられたことを特徴とする、ＵＳＢコネクタプラグ。
【請求項２】
各前記端子が前記接触部箇所に近い両側にそれぞれ張り出し部を備え、各前記固定部の最大幅が前記固定槽の幅より大きいことを特徴とする、請求項１に記載のＵＳＢコネクタプラグ。
【請求項３】
前記複数の接触部が前記複数の金属接点と電気的に接続されることを特徴とする、請求項１に記載のＵＳＢコネクタプラグ。
【請求項４】
前記複数の接触部がさらにそれぞれ延伸して設けられた押し当て部を備え、前記複数の接触部が圧迫されたときに前記複数の押し当て部がそれぞれ前記複数の金属接点と電気的接続を形成するために用いられることを特徴とする、請求項１に記載のＵＳＢコネクタプラグ。
【請求項５】
前記絶縁座体の下側に、前記複数の固定槽両側にそれぞれ前記絶縁座体の前側に向かって水平に延伸され、かつ間隔をおいて設置された複数の舌部が設けられたことを特徴とする、請求項１に記載のＵＳＢコネクタプラグ。
【請求項６】
前記絶縁座体の前側に第１当接部が設けられたことを特徴とする、請求項１または５に記載のＵＳＢコネクタプラグ。
【請求項７】
さらに殼体を含み、前記絶縁座体と前記基板が前記殼体内に設置され、そのうち、前記基板が回路基板またはメモリカード（ｆｌａｓｈ  ｍｅｍｏｒｙ  ｃａｒｄ）と前記回路基板の組み合わせであることを特徴とする、請求項１に記載のＵＳＢコネクタプラグ。
【考案の詳細な説明】
【技術分野】
【０００１】
本考案はＵＳＢコネクタプラグに関し、特に、安定的に接続できる端子を接続端子とした、ＵＳＢコネクタプラグに関する。
【背景技術】
【０００２】
ＵＳＢ２．０は現在最も広く一般大衆に運用されている伝送インターフェイスであり、さらに電子製品の充電器もすでにＵＳＢ２．０プラグを標準規格として統一されている。現在ＵＳＢ３．０の伝送規格がコンピュータアクセサリの主流規格になりつつあるため、ＵＳＢ２．０とＵＳＢ３．０共用のプラグがすでに業界で主に生産されている伝送インターフェイスとなっている。
実用のハンドスキャナＯＣＲは、ＯＣＲ−ＢフォントサイズＩなど、比較的小寸法の文字のみを入力して確認するものである。文字の上下方向の観測視野は、手のゆらぎを考慮して文字の高さの２倍以上に余裕をもたせてあったが、入力情報の周囲に十分な背景白部のある孤立文字列を扱うため、左右方向は被写体と接続する部分の幅を極力狭くして走査位置が見えやすくするのみで実用上十分であった。
【０００３】
一般的なＵＳＢプラグの構造は、主にプラスチック製の座体、複数の端子及び複数の金属接点を備えた回路基板を含む。前記回路基板は前記プラスチック座体に接続され、前記複数の端子がはんだ付けまたは表面実装技術（ＳＭＴ）を通して直接前記回路基板に設置され、かつ前記複数の端子が前記回路基板の前記複数の金属接点にそれぞれ接続される。
【０００４】
しかしながら、端子を粘着する方式で端子と金属接点を結合するＵＳＢプラグは、製品不良率が高いという状況が生じやすく、製造コストの負担となるほか、資源の無駄を形成する。さらに、点接触形式の結合は、端子と回路基板の構造結合安定度が悪く、長期間挿抜しているとＵＳＢプラグが読み取れなくなるという故障の問題が発生し、伝送品質に影響するだけでなく、使用者にとって使用上の不便さを招くことである。
【考案の概要】
【考案が解決しようとする課題】
【０００５】
本考案の主な目的は、安定的に接続できるＵＳＢコネクタプラグを提供することにある。
【課題を解決するための手段】
【０００６】
前述の目的に基づき、本考案が提供するＵＳＢコネクタプラグは、絶縁座体、複数の端子、基板を含み、前記絶縁座体の一端に複数の固定槽が設けられ、前記端子が固定部と、固定部から遠い方の一端に設けられた接触部を備え、前記複数の端子の固定部が、前記絶縁座体の前記複数の固定槽下方に嵌設され、前記基板の上側に複数の金属接点が設けられ、前記基板の上側が前記絶縁座体の下側に対応して接続される。
【考案の効果】
【０００７】
上述をまとめると、本考案のＵＳＢコネクタプラグには次の利点がある。
１.本考案のＵＳＢコネクタプラグは安定的にＵＳＢソケットとが接続でき、データ伝送過程の安定性に優れている。
２.本考案のＵＳＢコネクタプラグは製造プロセスの工程が簡便かつ迅速であり、相対的に製造の時間とコストを節約できる。
３.本考案のＵＳＢコネクタプラグは異なるパッケージ方法があり、メーカーが便利に選択でき、使用上の柔軟性を備えている。
【図面の簡単な説明】
【０００８】
【図１】本考案の実施例１の立体分解図である。
【図２】本考案の実施例１の立体外観図である。
【図３】本考案の実施例１の別の角度の立体分解図である。
【図４】本考案の実施例１とＵＳＢソケットの連結を示す断面図である。
【図５】本考案の実施例１に殼体を組み合わせた立体分解図である。
【図６】本考案の実施例１の端子と固定槽を嵌設した状態立体分解図である。
【図７】本考案の実施例２の立体分解図である。
【図８】本考案の実施例２の立体外観図である。
【図９】本考案の実施例２の別の角度の立体分解図である。
【図１０】本考案の実施例２の端子と固定槽を嵌設した状態を示す部分透視図である。
【図１１】本考案の実施例２に殼体を組み合わせた立体分解図である。
【図１２】本考案の実施例２とＵＳＢソケットを連結した状態の断面図である。
【図１３】本考案の実施例２の端子と基板の接触を示す断面図である。
【図１４】本考案の実施例２の端子に連接された帯状片と対応する絶縁座体の立体図である。
【考案を実施するための形態】
【０００９】
以下、具体的な実施例と添付の図面を組み合わせて、本考案の目的、技術内容、特徴、達成できる効果をより容易に理解できるように、本考案の構造とその組立て、使用について詳細に説明する。
【００１０】
本考案を詳細に説明する前に、以下の説明内容において、類似の部材は同じ番号で表されることに注意が必要である。
【実施例１】
【００１１】
本考案の実施例１を図１ないし図６に示す。まず、図１ないし図３に示すように、前記ＵＳＢコネクタプラグは、絶縁座体１と、複数の端子２と、基板３を含む。
【００１２】
前記絶縁座体１は、プラスチック材質で形成され、第１当接部１１、第１側面１１ａ、第２側面１１ｂを備え、前記第１側面１１ａと第２側面１１ｂは相対して設置され、かつ前記第１当接部１１が前記第１側面１１ａ及び前記第２側面１１ｂに隣接し、前記絶縁座体１の一端に複数の固定槽１２が間隔をおいて設けられ、前記複数の固定槽１２は開放状であり、かつそれぞれ前記第１当接部１１、前記第１側面１１ａ、前記第２側面１１ｂに連接される。そのうち、前記固定槽１２内に掛止部材１２１が設置され、前記掛止部材１２１と前記固定槽１２の間に穿通槽１２２が形成され、前記第２側面１１ｂに前記複数の固定槽１２に対応する複数の当接槽１３が凹設され、かつ前記複数の当接槽１３が前記複数の固定槽１２と相互に連通される。
【００１３】
前記複数の端子２は前記絶縁座体１の第２側面１１ｂに設置され、かつ前記複数の固定槽１２にそれぞれ対応して嵌設される。前記複数の端子２は導電性の金属材料から成り、かつ折り曲げられてあらかじめ定めた曲線を備えた薄板を成し、弾性を備え、かつ前記複数の端子２の曲線は多様に変化させてもよい。本考案の前記複数の端子２は接触部を区別しやすい上、前記複数の端子２の接触部分を第１接触部２１及び第２接触部２２として説明する。そのうち、前記端子２の最大幅は前記固定槽１２の幅よりやや小さく、前記端子２の両端には平行に前記第１接触部２１及び前記第２接触部２２がそれぞれ設けられ、前記第１接触部２１と前記第２接触部２２の間に突起した区域を成す固定部２３が設けられ、かつ前記固定部２３と前記第１接触部２１間は概ね垂直を成し、前記固定部２３と前記第２接触部２２間に前記第１接触部２１に向けて掛止部２４が凹設される。
【００１４】
前記基板３はＰＣＢ（Ｐｒｉｎｔｅｄ  ｃｉｒｃｕｉｔ  ｂｏａｒｄ）回路基板であり、フラッシュメモリまたはコントローラチップを電気的に接続するために用いられるが、この基板３の効果は本考案の強調する重点ではないため、説明を省略する。前記基板３の一側にＵＳＢ２．０及びＵＳＢ３．０インターフェイスとなる複数の金属接点３１、複数の金属接点３２がそれぞれ設けられ、前記複数の端子２と前記絶縁座体１を嵌設した後、前記基板３と前記絶縁座体１が対応して接合され、前記基板３と前記絶縁座体１を一体として組み立てた後、さらなる組み立てが行われる。
【００１５】
本考案は実施において、前記複数の端子２が前記絶縁座体１の第２側面１１ｂから前記複数の固定槽１２にそれぞれ対応して嵌設され、図４に示すように、前記複数の端子２の固定部２３が前記複数の穿通槽１２２に挿入されて凸出され、前記複数の端子２の第１接触部２１がそれぞれ前記複数の当接槽１３に対応して当接され、かつ前記複数の端子２の掛止部２４がそれぞれ前記複数の掛止部材１２１に対応して掛止され、前記複数の端子２が前記複数の固定槽１２内に安定的に位置決めされる。このとき、前記複数の端子２の第２接触部２２が前記絶縁座体１の第１当接部１１から延出され、さらに前記基板３と前記絶縁座体１が対応して接合され、前記複数の端子２の第１接触部２１が前記基板３の複数の金属接点３２にそれぞれ対応して当接される。本考案のＵＳＢコネクタプラグは使用時に例えばコンピュータホストのＵＳＢソケット９に挿入され、前記絶縁座体１の第１当接部１１が前記ＵＳＢソケット９の前端に当接されて位置規制するために使用され、前記複数の端子２の第２接触部２２が前記ＵＳＢソケット９内の電気接点に接触して電路が形成される。
【００１６】
前記絶縁座体１、前記複数の端子２及び前記基板３を組立てた後、業者は好ましいパッケージ構造を選択することができ、図５に示すように、ＵＳＢコネクタプラグをＵＳＢ専用金属ケースである殼体４内に設置してパッケージ手段とすることができる。また、前記殼体４は前述の金属ケース以外にも、フラッシュメモリカード（ｆｌａｓｈ  ｍｅｍｏｒｙ  ｃａｒｄ）を前記基板３に組み込んだ組み合わせ構造としてもよく、前記組み合わせ構造をカード読み取り装置とすることができる。
【００１７】
前記絶縁座体１の第１当接部１１から遠い方の一端にさらに位置決め部１４が設けられ、前記位置決め部１４が前記基板３と前記絶縁座体１を貼り合わせたときに当接されてそれらを位置決めする。前記位置決め部１４は、前記第２側面１１ｂに相対して、貼り合わされた前記基板３と前記絶縁座体１を位置規制する少なくとも１つの位置規制部１４１が設けられ、前記位置決め部１４はさらに前記第１側面１１ａに相対して固定ブロック１４２が設けられ、前記殼体４上に前記固定ブロック１４２に対応する切欠口４１が形成され、前記絶縁座体１と前記基板３が相互に緊密に殼体４内にパッケージされる。そのうち、前記絶縁座体１の第１側面１１ａの第１当接部１１の近くに複数の突起ストリップ１５が設けられ、各構成部材の生産過程中に生じる寸法公差を抑え、パッケージ後の間隙を減少するために供され、前記複数の突起ストリップ１５を前記殼体４に挿入する過程で生じる過度の圧力により絶縁座体１がしっかりと圧接される。
【００１８】
続いて図６に示すように、前記絶縁座体１は前記複数の固定槽１２の穿通槽１２２両側下方にそれぞれ係止部１２３が設けられ、前記複数の係止部１２３の最大幅は対応する前記穿通槽１２２の幅より大きい。前記複数の端子２の固定部２３の第１接触部２１近くの両側に張り出し部２５がそれぞれ設けられ、かつ前記複数の張り出し部２５の最大幅は対応する前記穿通槽１２２の幅より大きい。また、前記端子２の第１接触部２１上に開口溝２１１が設けられ、前記開口溝２１１は外力により挟んで圧迫することで前記端子２の最大幅を縮小するために用いられ、外力が解除されると、前記端子２の最大幅が元の状態を回復することができる。これにより、前記複数の端子２を前記絶縁座体１から前記複数の固定槽１２内に挿入したとき、前記複数の端子２の複数の張り出し部２５が対応する前記複数の固定槽１２に挿入され、かつ前記複数の係止部１２３とそれぞれ相互に当接して掛止され、それにより前記複数の端子２の固定部２３が前記複数の穿通槽１２２に挿入される深さが規制されて、前記複数の端子２の第１接触部２１がよりしっかりと前記当接槽１３に当接され、前記複数の端子２と前記絶縁座体１が精確に位置決めされた状態で結合されて、脱落しにくくなり、同時に、前記開口溝２１１を挟んで圧迫することで、前記複数の端子２と前記絶縁座体１があらかじめ設けられた寸法公差内を維持するだけで相互に密着して、確りに結合される。
【実施例２】
【００１９】
本考案のＵＳＢコネクタプラグの実施例２は、図７ないし図９に示すように、絶縁座体１と、複数の端子２と、基板３を含む。
【００２０】
前記絶縁座体１は第１当接部１１、第１側面１１ａ、前記第１側面１１ａと相対する第２側面１１ｂを備え、かつ前記第１当接部１１が前記第１側面１１ａ及び前記第２側面１１ｂに隣接し、前記第１当接部１１上に、前記第２側面１１ｂから水平に外側に向かって延伸され、かつ間隔をおいて設置された複数の舌部１１１及び前記複数の舌部１１１の間に複数の第２当接部１１２が設けられ、前記絶縁座体１の第２側面１１ｂが前記複数の舌部１１１の間にそれぞれ分内側に凹設された固定槽１２及び当接槽１３を備え、前記絶縁座体１の第１当接部１１から遠い方の一端に前記基板３を当接させる位置決め部１４が設けられ、前記位置決め部１４の第１側面１１ａに相対する箇所に固定ブロック１４２が設置され、前記絶縁座体１の第１側面１１ａの第１当接部１１の近くに複数の突起ストリップ１５が設けられる。
【００２１】
前記複数の端子２は絶縁座体１の前記複数の固定槽１２内にそれぞれ嵌設される。そのうち、前記端子２は最大幅が前記固定槽１２の幅よりやや小さく、湾曲状の第１接触部２１、前記第１接触部２１に連接され、かつ水平に延伸して設けられた第２接触部２２、前記第１接触部２１から遠い側の前記第２接触部２２に連接され、かつ垂直に折り曲げて設けられた固定部２３を備え、前記第１接触部２１が前記絶縁座体１の複数の舌部１１１の間に挿設され、かつ前記第１接触部２１が突起の比較的緩やかな湾曲状を形成し、前記第２接触部２２が前記当接槽１３内に挿設され、前記固定部２３が前記固定槽１２内に嵌設かつ掛止される。前記固定部２３は前記第２接触部２２近くの両側に張り出し部２５がそれぞれ設けられており、前記複数の張り出し部２５の設置によって前記固定槽１２の幅より大きくなっているため、組立て過程において、プラスチック材質の前記絶縁座体１の硬さが金属材質の前記端子２の硬さより軟かいことで、前記複数の端子２の固定部２３が絶縁座体１の前記複数の固定槽１２内にそれぞれ挿入されたとき一回だけの不可逆の緊密な固定が形成され、図１０に示すように、前記複数の端子２がしっかりと固定されて脱落しにくくなり、安定した伝送という目的を達することができる。
【００２２】
前述同様に設置された前記基板３は、一側に複数の金属接点３１、複数の金属接３２がそれぞれ設けられ、前記基板３と絶縁座体１が対応して接合され、前記基板３と前記絶縁座体１を一体として組み立てた後、さらなる組み立てが行われる。
【００２３】
前記絶縁座体１、前記複数の端子２及び前記基板３を組立てた後、図１１に示すように、前述同様ＵＳＢ専用金属ケースを備えた殼体４をパッケージ手段とすることができる。或いは、業者は別のパッケージ手段を選択することができ、図９に示す位置のように、前記絶縁座体１の第２側面１１ｂに接着剤を入れるための凹陥槽１６を形成し、前記基板３を接着剤で直接前記絶縁座体３と接合してもよく、前記殼体４でＵＳＢコネクタプラグのパッケージを行う必要はない。
【００２４】
本考案のＵＳＢコネクタプラグとＵＳＢソケット９を連結したとき、図１２に示すように、前記第１当接部１１と前記ＵＳＢソケット９の前端が当接され、前記複数の端子２の第１接触部２１が前記ＵＳＢソケット９内の電気接点に接触して接続され、前記複数の第１接触部２１が湾曲状の部分により前記複数の第２当接部１１２とそれぞれ当接され、ＵＳＢコネクタプラグの挿入時に前記複数の端子２が押圧されてずれ、接触不良を引き起こす状況を回避できる。かつ、前記複数の第２接触部２２はプレス加工された突起部または湾曲された第１押し当て部２２１をそれぞれ備え、前記複数の第２接触部２２の第１押し当て部２２１と前記基板３の前記複数の金属接点３２の接触を通じて、データ伝送のための接続回路が形成される。前記基板３の複数の金属接点３２が前記複数の第２接触部２２の第１押し当て部２２１に対応する位置から遠い場合、前記複数の第１接触部２１を前記複数の第２接触部２２の第１押し当て部２２１とみなし、図１３に示すように、前記複数の第１接触部２１の湾曲状部分の下方に第２押し当て部２１２をそれぞれ設け、前記複数の第１接触部２１の第２押し当て部２１２を通じて前記基板３の前記複数の金属接点３２に対応させ、前記ＵＳＢソケット９内の電気接点と電気的に接続する。
【００２５】
本考案の前記複数の端子２は製造プロセスを便利にするために、図１４に示すように、前記複数の端子２の第１接触部２１の前記複数の第２接触部２２に遠い方の一端を切断に供する帯状片２６に連接し、前記帯状片２６が少なくとも１つの位置決め孔２６１を備え、かつ、前記絶縁座体１が少なくとも１つの貫通状の通孔１７を備え、前記帯状片２６の位置決め孔２６１に前記絶縁座体１の通孔１７を組み合わせ、前記複数の端子２を組み立てる治具がクランププロセスで位置を迅速に判断できるようにするとともに、クランプ時に前記帯状片２６を一緒に切断し、かつ前記複数の端子２と分離して、製造プロセスを簡便・迅速にすることができる。
【００２６】
このほか、本考案の実施例１または実施例２のＵＳＢコネクタプラグの前記絶縁座体１と前記複数の端子２は射出成型の方式を用いてもよく、同様に前記絶縁座体１と前記複数の端子２を緊密に連接した結合を達成できる。
【００２７】
上述をまとめると、前記絶縁座体１と前記複数の端子２及び基板３の緊密な連接、挟着する構造により、本考案のＵＳＢコネクタプラグは安定的にＵＳＢソケットと連結させることができ、データ伝送の過程の安定性に優れ、かつ製造プロセスが簡便・迅速であり、時間とコストの節約につながり、また業者が自由に異なるパッケージ方法を選択することができる。
【符号の説明】
【００２８】
１        絶縁座体
１１      第１当接部
１１ａ    第１側面
１１ｂ    第２側面
１１１    舌部
１２      固定槽
１２１    掛止部材
１２２    穿通槽
１２３    係止部
１３      当接槽
１４      位置決め部
１４１    位置規制部
１４２    固定ブロック
１５      突起ストリップ
１６      凹陥槽
１７      通孔
２        端子
２１      第１接触部
２１１    開口溝
２１２    第２押し当て部
２２      第２接触部
２２１    第１押し当て部
２３      固定部
２４      掛止部
２５      張り出し部
２６      帯状片
２６１    位置決め孔
３        基板
３１      金属接点
３２      金属接点
４        殼体
４１      切欠口
９        ＵＳＢソケット
【図１】
0003191030.tif 000003
【図２】
0003191030.tif 000004
【図３】
0003191030.tif 000005
【図４】
0003191030.tif 000006
【図５】
0003191030.tif 000007
【図６】
0003191030.tif 000008
【図７】
0003191030.tif 000009
【図８】
0003191030.tif 000010
【図９】
0003191030.tif 000011
【図１０】
0003191030.tif 000012
【図１１】
0003191030.tif 000013
【図１２】
0003191030.tif 000014
【図１３】
0003191030.tif 000015
【図１４】
0003191030.tif 000016